(57)【要約】【課題】留め具を構成する永久磁石が外部に露出しないよう構成することにより、永久磁石の破損や永久磁石による皮膚表面の損傷を防止する。【解決手段】ブレスレット１は、手首の周長さに応じた長さを有する帯材より成る装着具本体２と、装着具本体２の両端部の内部にそれぞれ閉じ込められた状態で配備される２個の永久磁石３Ａ，３Ｂとから成るものである。各永久磁石３Ａ，３Ｂは、装着具本体２の両端部が突き合わせ状態で重ねられたときに互いに磁気吸着するように、Ｎ，Ｓの各磁極の向きが装着具本体２の長さ方向に対して直交する同方向に揃えられている。【選択図】図１
2011078524.tif 000002
【特許請求の範囲】
【請求項１】
身体の装着部位の周長さに応じた長さを有する帯材または紐材より成る装着具本体と、装着具本体の両端部の内部にそれぞれ閉じ込められた状態で配備される２個の永久磁石とから成り、各永久磁石は、装着具本体の両端部が突き合わせ状態で重ねられたときに互いに磁気吸着するように、Ｎ，Ｓの各磁極の向きが装着具本体の長さ方向に対して直交する同方向に揃えられて成るか、または、揃えることが可能に構成されて成る身体装着具。
【請求項２】
少なくとも一方の永久磁石は、装着具本体の端部の内部に長さ方向へ移動可能な状態で閉じ込められている請求項１に記載された身体装着具。
【請求項３】
前記装着具本体は、ゲルマニウム、シリコンなどの半導体物質、永久磁石、マイナスイオン発生物質のうちから選ばれた材料の粉末が付着した繊維により形成されている請求項１または２に記載された身体装着具。
【請求項４】
前記装着具本体は、長さ方向へ伸縮可能な生地により形成されている請求項１〜３のいずれかに記載された身体装着具。
【請求項５】
請求項１〜４のいずれかに記載された身体装着具であって、装着具本体の長さ方向の中間部分の内部に２個の第２の永久磁石がそれぞれ長さ方向へ移動可能な状態で閉じ込められており、第２の永久磁石は、磁極の向きが装着具本体の長さ方向に対して直交しかつ前記の両端位置の永久磁石の磁極の向きに揃えられて成るか、または揃えることが可能に構成されて成る身体装着具。
【請求項６】
請求項１〜４のいずれかに記載された身体装着具であって、装着具本体の長さ方向の中間部分の内部に、ゲルマニウム、シリコンなどの半導体物質、永久磁石、マイナスイオン発生物質のうちから選ばれた材料のチップまたは温熱発生部材が出し入れ可能な状態または出し入れ不能な状態で閉じ込められて成る身体装着具。
【発明の詳細な説明】
【技術分野】
【０００１】
この発明は、例えば、ブレスレット、ベルト、鉢巻き、サポーターなどのように、手首、腕、足首、脚、頭、首、胴などの身体適所に巻き付けるようにして装着される身体装着具に関する。
【背景技術】
【０００２】
例えば、ブレスレットは、線状体または帯状体を手首に巻き付けて両端部を留め具により連結するようになっている。従来の留め具による連結構造では、リングサイズ（直径）が固定されて自由度を欠くという問題があり、この問題を解決するために、先般、所謂フリーサイズのブレスレットが提案された（例えば、特許文献１参照）。
【先行技術文献】
【特許文献】
【０００３】
【特許文献１】実用新案登録第３０４２１７３号公報
【０００４】
特許文献１に記載されたブレスレットは、コイル状に保形された弾性線材に全長にわたって永久磁石より成る複数個の吸着体と非磁性体よる成る複数個のスペーサとを交互に挿通して成るものである。各吸着体は留め具として機能するもので、ブレスレットを手首に巻き付けたとき、線材の軸方向に沿って並ぶ吸着体同士が磁力により吸着し合って所望の直径に定まった螺旋状の輪を形づくる。
【発明の概要】
【発明が解決しようとする課題】
【０００５】
しかし、上記した構成のブレスレットでは、吸着体およびスペーサが外部に露出しており、それらが衝突したり擦り合ったりすると、破損したり表面のメッキが剥がれたりして見栄えが低下する。また、吸着体やスペーサによって皮膚の表面が傷付けられるおそれもある。
しかも、多数個の吸着体やスペーサを等間隔かつ全長にわたって配置するため、部品点数が増してコスト高となり、全体の重量も嵩むという問題もある。さらに加えて、リングサイズ（直径）の調整は、吸着体の配列間隔に相当する長さ単位で段階的にしか行えず、微調整が困難であり、手首の周面に密接した状態で装着するのが困難である。
【０００６】
この発明は、留め具を構成する永久磁石が外部に露出しないよう構成することにより、永久磁石の破損や永久磁石による皮膚表面の損傷を防止した身体装着具を提供することを目的とする。
また、この発明が他に目的とするところは、少ない数の永久磁石をもって、連続的なサイズ調整を可能とした軽量かつ安価な身体装着具を提供することにある。
【課題を解決するための手段】
【０００７】
この発明による身体装着具は、身体の装着部位の周長さに応じた長さを有する帯材または紐材より成る装着具本体と、装着具本体の両端部の内部にそれぞれ閉じ込められた状態で配備される２個の永久磁石とから成る。各永久磁石は、装着具本体の両端部が突き合わせ状態で重ねられたときに互いに磁気吸着するように、Ｎ，Ｓの各磁極の向きが装着具本体の長さ方向に対して直交する同方向に揃えられて成るか、または、揃えることが可能に構成されて成る。
【０００８】
上記した身体装着具を装着するには、身体の装着部位に装着具本体を巻き付けた後、装着具本体の両端部を突き合わせ状態で重ねる。この場合に、両端部の永久磁石のＮ，Ｓの各磁極の向きが装着具本体の長さ方向に対して直交する同方向に揃えられて成るものでは、装着具本体の両端部を突き合わせ状態で重ねることによって、永久磁石が互いに磁気吸着してリング形状が保持される。一方、両端部の永久磁石のＮ，Ｓの各磁極の向きが装着具本体の長さ方向に対して直交する同方向に揃えることが可能に構成されたものでは、両端部の永久磁石のＮ，Ｓの各磁極の向きを装着具本体の長さ方向に対して直交する同方向に揃えて突き合わせ状態で重ねることによって、永久磁石が互いに磁気吸着してリング形状が保持される。いずれの態様のものでも、各永久磁石は装着具本体の両端部の内部に閉じ込められて外部に露出しないから、永久磁石同士が衝突したり擦り合ったりすることによって永久磁石が破損したり、着用者の皮膚を損傷したりするおそれがない。
【０００９】
この発明の上記した構成において、「身体の装着部位」とは、例えばブレスレットであれば手首、ベルトであれば胴、鉢巻きであれば頭、サポーターであれば手首、腕、足首、脚などである。「２個の永久磁石」はその形態は問わないが、例えば、板状の永久磁石であれば、表裏にＮ，Ｓの各磁極が現れるように着磁し、２個の永久磁石を磁極の向きが身体装着具本体の長さ方向に対して直交する同方向に揃えられた状態で装着具本体の内部に組み込むことができる。例えば、短軸状の永久磁石であれば、一側面と他側面とにＮ，Ｓの各磁極が現れるように着磁し、２個の永久磁石を磁極の向きが身体装着具本体の長さ方向に対して直交する同方向に揃えることが可能なように装着具本体の内部に組み込むことができる。
【００１０】
この発明の好ましい実施態様においては、少なくとも一方の永久磁石は、装着具本体の端部の内部に長さ方向へ移動可能な状態で閉じ込められている。
この実施態様によると、装着具本体の一方または両方の端部において、永久磁石を長さ方向へ移動させることにより、リングサイズ（直径）を調整することができる。
【００１１】
この発明の好ましい一実施態様においては、前記装着具本体は、ゲルマニウム、シリコンなどの半導体物質、永久磁石、マイナスイオン発生物質のうちから選ばれた材料の粉末が付着した繊維により形成されている。
【００１２】
この実施態様によると、ゲルマニウム、シリコンなどの半導体物質、永久磁石、マイナスイオン発生物質が身体に所定の物理的作用を及ぼして健康の増進に有効に機能する。永久磁石の粉末としてネオジムやフェライトが用いられ、マイナスイオン発生物質の粉末としては電気石と呼ばれるトルマリンが一般的である。
これらの材料粉末を繊維に付着させるには、例えば合成繊維などの繊維原料に材料粉末を練り込んで紡糸するなど、種々の方法を採用できる。合成繊維としてポリエステル、ナイロン、アクリル、ビニロンなどを用いることができるが、合成繊維以外にレーヨンなどの再生繊維、アセテートなどの半合成繊維を用いることもできる。
【００１３】
この発明の好ましい実施態様においては、前記装着具本体は、長さ方向へ伸縮可能な生地により形成されている。
この実施態様によると、装着具本体は長さ方向へ伸縮するので、身体の装着部位に適当な締付力が付与され、保持力が高められて位置ずれが防止される。特に、この発明をサポーターに適用した場合、骨格筋や腱を引き締めることができる。
【００１４】
この発明による他の身体装着具は、さらに、装着具本体の長さ方向の中間部分の内部に２個の第２の永久磁石がそれぞれ長さ方向へ移動可能な状態で閉じ込められており、第２の永久磁石は、磁極の向きが装着具本体の長さ方向に対して直交しかつ前記の両端位置の永久磁石の磁極の向きに揃えられて成るか、または、揃えることが可能に構成されて成るものである。
【００１５】
上記した身体装着具を身体の装着部位に装着する場合、一端部の永久磁石に一方の第２の永久磁石を、異なる磁極同士を磁気吸着させることでリング状とし、さらに、他端部の永久磁石を他方の第２の永久磁石に、異なる磁極同士を磁気吸着させることで渦巻状または螺旋状とする。この場合に、一端部の永久磁石に磁気吸着させる第２の永久磁石を装着具本体に沿って移動させて所望のリングサイズ（直径）に調整した後、他端部の永久磁石を磁気吸着させる第２の永久磁石を装着具本体に沿って移動させて前記のリングサイズ（直径）に合わせた渦巻または螺旋を生成する。
【００１６】
この発明の好ましい実施態様においては、装着具本体の長さ方向の中間部分の内部に、ゲルマニウム、シリコンなどの半導体物質、永久磁石、マイナスイオン発生物質のうちから選ばれた材料のチップまたは温熱発生部材が出し入れ可能な状態または出し入れ不能な状態で閉じ込められている。
【００１７】
この実施態様によると、ゲルマニウム、シリコンなどの半導体物質、永久磁石、マイナスイオン発生物質のうちから選ばれた材料のチップが身体に所定の物理的作用を及ぼし、或いは、温熱発生部材が身体に温熱作用を及ぼして、健康の増進に有効に機能する。
【発明の効果】
【００１８】
この発明によると、留め具を構成する永久磁石は装着具本体の内部に閉じ込められた状態で外部に露出しないから、永久磁石の破損や永久磁石による皮膚表面の損傷を防止することができる。
また、好ましい実施態様においては、いずれかの永久磁石を装着具本体の内部に長さ方向へ移動可能な状態で閉じ込められているので、永久磁石を移動させることで、リングサイズを連続的に調整することができる。しかも、少ない数の永久磁石をもってサイズ調整が可能であるから、部品点数が少なくて済み、コストが低減され、全体の重量が嵩むこともない。また、連続的なサイズ調整が可能であるから、身体適所にぴったり合わせて装着することができる。
【図面の簡単な説明】
【００１９】
【図１】この発明の一実施例を長さ中央部を省略して示した平面図である。
【図２】図１の実施例を手首に装着した状態を示す一部を破断した正面図である。
【図３】図１の実施例を締め付けた状態を示す一部を破断した正面図である。
【図４】他の実施例を長さ中央部を省略して示した平面図である。
【図５】図４のＡ−Ａ線に沿う断面図である。
【図６】図４の実施例の変形例を長さ中央部を省略して示した正面図である。
【図７】他の実施例を長さ中央部を省略して示した平面図である。
【図８】他の実施例を長さ中央部を省略しかつ一部を破断して示した平面図である。
【図９】他の実施例を長さ中央部を省略して示した平面図である。
【図１０】図９の実施例を手首に装着した状態を示す正面図である。
【図１１】他の実施例を長さ中央部を省略して示した断面図である。
【図１２】図１１の実施例を手首に装着した状態を示す斜視図である。
【図１３】図１２のＢ−Ｂ線に沿う断面図である。
【発明を実施するための形態】
【００２０】
図１および図２は、この発明の一実施例であるブレスレット１の外観および構成を示している。図示例のブレスレット１は、手首９に巻かれる帯状の装着具本体２と、装着具本体２の両端部にそれぞれ配置され装着具本体２が手首９に巻かれた状態を保持するための２個の円盤状の永久磁石３Ａ，３Ｂとで構成されている。装着具本体２は、手首９の外周に余裕をもって巻き付けた状態で両端部が突き合わせ状態で重なるように長さが設定されている。
【００２１】
この実施例の装着具本体２は、ゲルマニウム粉末を付着させた合成繊維より成る可撓性と伸縮性とを有する柔軟な布地を用いて形成されている。全長にわたり一定幅の１枚の長尺の布地を長さ中央部で折り返して重ね、内部に密閉された間隙４が形成されるように上下の布地の両側縁および先端縁をそれぞれ糸で逢い付けている。なお、図１において、２１〜２３は糸で縫い付けられた縫着部、２６は布地の折り返し部である。この合成繊維の布地はポリエステルなどの合成繊維材料にゲルマニウム粉末を練り込んで紡糸することにより得られる。なお、繊維に付着させる健康増進のための材料として、ゲルマニウム粉末に代えて、シリコンその他の半導体物質の粉末、永久磁石やマイナスイオン発生物質の粉末などを用いることができる。
【００２２】
装着具本体２の両端部の内部には、永久磁石３Ａ，３Ｂがそれぞれ長さ方向へ一定距離Ｌａ，Ｌｂだけ間隙４中を移動可能な状態で閉じ込められている。各永久磁石３Ａ，３Ｂの長さ方向への移動可能な距離、すなわち、通路長さは上下の布地を糸で縫い付けた縫着部２４，２５により設定される。
内部の間隙４は永久磁石３Ａ，３Ｂの移動通路４ａ，４ｂを構成し、その通路幅Ｄは永久磁石３Ａ，３Ｂの直径よりわずかに大きな値に設定されている。各永久磁石３Ａ，３Ｂは移動通路４ａ，４ｂを移動するが、通路内で容易に上下反転できないので、後述するＮ，Ｓの各磁極３１，３２の向きは変わらない。
【００２３】
各永久磁石３Ａ，３Ｂは、薄板状の円盤であり、表裏の各面がＮ，Ｓの各磁極３１，３２となるように着磁されている。装着具本体２の両端部が突き合わせ状態で重ねられたとき、互いに磁気吸着するように、各永久磁石３Ａ，３ＢのＮ，Ｓの各磁極３１，３２の向きが装着具本体２の長さ方向に対して直交する同方向に揃えられている。各永久磁石３Ａ，３Ｂが磁気吸着した状態において、重ねられた装着具本体２の両端部のうち上側の端部を持って、図３に示す矢印方向へ引っ張ったとき、上側の永久磁石３Ａは下側の永久磁石３Ｂと磁気吸着した状態のまま移動通路４ａを移動するように各磁極３１，３２の磁気の強さが設定されている。図３に示す状態では、リングサイズは小さくなり、ブレスレット１は手首９の外周面に密接して手首９を適度に締め付けている。
【００２４】
図４および図５は、ブレスレット１の他の実施例を示している。図示例のものは、全長にわたり一定幅の１枚の長尺の布地の両端部をそれぞれ折り返して重ね、各折り返した部分の両端縁および先端縁を糸で縫い付けて、内部に密閉された間隙４を形成したものである。なお、図中、２１，２２，２４，２５は上下の布地を糸で縫い付けた縫着部である。
この装着具本体２の両端部の内部に、永久磁石３Ａ，３Ｂがそれぞれ長さ方向へ一定距離Ｌａ，Ｌｂだけ間隙４中を移動可能な状態で閉じ込められている。内部の間隙４は、各永久磁石３Ａ，３Ｂの移動通路４ａ，４ｂを構成しており、各移動通路４ａ，４ｂの通路長さ、すなわち、各永久磁石３Ａ，３Ｂの移動可能な距離は折り返し部２６，２７と縫着部２４，２５とで設定されている。
【００２５】
図６は、図４，５の上記した実施例において、装着具本体２の長さ中央部の内面に複数個の円盤状のチップ５を取り付けたものである。各チップ５は、ゲルマニウム粉末を焼き固めたものであるが、シリコンなどのその他の半導体物質、永久磁石、またはマイナスイオン発生物質により構成されたチップを用いてもよい。
【００２６】
なお、上記した各実施例および以下に示す各実施例は、この発明をブレスレットに適用して構成された例であるが、装着具本体２の幅や長さを適宜選定することで、ベルト、鉢巻き、サポーターなどを構成することができる。
【００２７】
図７に示した実施例は、図１の実施例と同様、全長にわたり一定幅の１枚の長尺の布地を長さ中央部で折り返して重ね、内部に密閉された間隙４が形成されるように上下の布地の両側縁および先端縁をそれぞれ糸で逢い付けて縫着部２１，２２，２３を形成したものである。装着具本体２の一方の端部の内部の間隙４には永久磁石３Ａが移動しないように拘束された状態で閉じ込められている。装着具本体２の他方の端部の内部には永久磁石３Ｂが長さ方向へ一定距離Ｌｂだけ間隙４中を移動可能な状態で閉じ込められている。永久磁石３Ａが拘束した状態で閉じ込められた一端部の空間４０ａは折り返し部２６と縫着部２４との間に形成されている。他端部の内部の間隙４は、永久磁石３Ｂの移動通路４ｂを構成しており、その通路長さは縫着部２３，２５により設定されている。
【００２８】
図８に示した実施例は、装着具本体２の両端部に永久磁石３Ａ，３Ｂがそれぞれ長さ方向へ一定距離Ｌａ，Ｌｂだけ移動可能な状態で閉じ込められたもので、両端部の内部の間隙は各永久磁石３Ａ，３Ｂの移動通路４ａ，４ｂを構成し、それぞれの通路長さは折り返し部２６と縫着部２４との間および縫着部２３，２５間で設定されている。装着具本体２の長さ中央部には、縫着部２４，２５によって各永久磁石３Ａ，３Ｂの移動通路４ａ，４ｂと区画された間隙４ｃが存在しており、装着具本体２にこの間隙４ｃに通じる開口部８が形成してある。この開口部８から間隙４ｃに対して、ゲルマニウムやシリコンなどの半導体物質、永久磁石、マイナスイオン発生物質などより成る円盤状のチップ６や温熱発生部材を出し入れすることが可能となっている。なお、前記のチップ６は必ずしも出し入れ可能に設ける必要はなく、間隙４ｃ内に閉じ込められた状態にしてもよい。
【００２９】
図９および図１０に示した実施例は、装着具本体２の両端部の内部に第１の永久磁石３Ａ，３Ｂが移動しないように拘束された状態に閉じ込められるとともに、各永久磁石３Ａ，３Ｂが閉じ込められた空間４０ａ，４０ｂに隣接して、第２の永久磁石７Ａ，７Ｂが長さ方向へ一定距離Ｌｃ，Ｌｄだけ移動可能な状態で閉じ込められる移動通路４１ａ，４１ｂが形成されたものである。第１の永久磁石３Ａ，３Ｂを拘束した状態で閉じ込める空間４０ａ，４０ｂは折り返し部２６と縫着部２４との間および縫着部２３，２５間に形成され、第２の永久磁石７Ａ，７Ｂが長さ方向への移動可能な移動通路４１ａ，４１ｂは縫着部２４，２８間および縫着部２５，２９に形成されている。
【００３０】
第１の永久磁石３Ａ，３Ｂおよび第２の永久磁石７Ａ，７Ｂは、いずれも薄板状の円盤であり、表裏の各面がＮ，Ｓの各磁極３１，３２，７１，７２となるように着磁されている。第１の永久磁石３Ａ，３Ｂは、Ｎ，Ｓの各磁極３１，３２の向きが装着具本体２の長さ方向に対して直交する同方向に揃えられている。第２の永久磁石７Ａ，７Ｂは、Ｎ，Ｓの各磁極７１，７２の向きが装着具本体２の長さ方向に対して直交しかつ第１の永久磁石３Ａ，３Ｂの磁極の向きに揃えられている。
【００３１】
なお、上記の各実施例では、装着具本体２は帯状であり、各永久磁石３Ａ，３Ｂ，７Ａ，７Ｂは円盤状であるが、これに限定されるものではなく、図１１〜図１３に示す実施例のように、装着具本体２が紐状であり、各永久磁石３Ａ，３Ｂ，７Ａ，７Ｂが短軸状や円筒状であってもよい。装着具本体２は、両端を密封した合成樹脂などのチューブを用いて構成されている。
【００３２】
この実施例では、装着具本体２の両端部の内部の間隙４に第１の永久磁石３Ａ，３Ｂが移動しないように拘束された状態に閉じ込められるとともに、各永久磁石３Ａ，３Ｂが閉じ込められた空間４０ａ，４０ｂに隣接して、第２の永久磁石７Ａ，７Ｂが長さ方向へ一定距離Ｌｃ，Ｌｄだけ間隙４中を移動可能な状態で閉じ込められる移動通路４１ａ，４１ｂが形成されている。第１の永久磁石３Ａ，３Ｂが閉じ込められた空間４０ａ，４０ｂは両端の密封部分と縫着部２４，２５との間にそれぞれ形成され、第２の永久磁石７Ａ，７Ｂの長さ方向への移動可能な移動通路４１ａ，４１ｂは縫着部２４，２８間および縫着部２５，２９間にそれぞれ形成される。各永久磁石３Ａ，３Ｂ，７Ａ，７Ｂは、同じ形状、同じ大きさの短軸体であり、一側面の側がＮ磁極３１，７１に、他側面の側がＳ磁極３２，７２に、それぞれ着磁されている。
【００３３】
一端部の第１の永久磁石３Ａには一方の第２の永久磁石７Ｂが、他端部の第１の永久磁石３Ｂには他方の第２の永久磁石７Ａが、それぞれのＮ，Ｓの各磁極が同方向に揃った状態で異なる磁極同士が磁気吸着する。装着具本体２の内部の間隙４は、径方向に沿う断面の形状が円形であり、第１、第２の各永久磁石３Ａ，３Ｂ，７Ａ，７Ｂは間隙４内で軸回転が可能であるので、第２の永久磁石７Ａ，７ＢのＮ，Ｓの各磁極７１，７２の向きと第１の永久磁石３Ａ，３ＢのＮ，Ｓの各磁極３１，３２の向きとを揃えることが可能である。
【００３４】
上記した図１〜図８に示したブレスレット１を装着するには、手首９に装着具本体２を巻き付けた後、装着具本体２の両端部を突き合わせ状態で重ねる。この場合に、両端部の永久磁石３Ａ，３ＢのＮ，Ｓの各磁極３１，３２の向きが装着具本体２の長さ方向に対して直交する同方向に揃えられているので、装着具本体２の両端部を突き合わせ状態で重ねることによって、永久磁石３Ａ，３Ｂが互いに磁気吸着してリング形状が保持される。
【００３５】
いずれの実施例について、永久磁石３Ａ，３Ｂの少なくとも一方は、装着具本体２の端部の内部に長さ方向へ移動可能な状態で閉じ込められているので、一方または両方の端部において、永久磁石を移動通路４ａ，４ｂを長さ方向へ移動させることにより、リングサイズ（直径）を調整することができる。
各永久磁石３Ａ，３Ｂは装着具本体２の両端部の内部に閉じ込められて外部に露出しないから、永久磁石３Ａ，３Ｂ同士が衝突したり擦り合ったりすることによって永久磁石３Ａ，３Ｂが破損したり、着用者の皮膚を損傷したりするおそれがない。
【００３６】
図９〜図１２に示したブレスレット１を装着するには、一端部の第１の永久磁石３Ａに一方の第２の永久磁石７Ｂを、異なる磁極同士を磁気吸着させることでリング状とし、さらに、他端部の第１の永久磁石３Ｂを他方の第２の永久磁石７Ａに、異なる磁極同士を磁気吸着させることで渦巻または螺旋とする。この場合に、一端部の第１の永久磁石３Ａに磁気吸着させる第２の永久磁石７Ｂを装着具本体２に沿って移動通路４１ｂを移動させて所望のリングサイズ（直径）に調整した後、他端部の第１の永久磁石３Ｂに磁気吸着させる第２の永久磁石７Ａを装着具本体２に沿って移動通路４１ａを移動させて前記のリングサイズ（直径）に合わせた渦巻または螺旋を生成する。
第１，第２の各永久磁石３Ａ，３Ｂ，７Ａ，７Ｂは装着具本体２の内部に閉じ込められて外部に露出しないから、永久磁石３Ａ，３Ｂ，７Ａ，７Ｂ同士が衝突したり擦り合ったりすることによって永久磁石３Ａ，３Ｂ，７Ａ，７Ｂが破損したり、着用者の皮膚を損傷したりするおそれがない。
【符号の説明】
【００３７】
１    ブレスレット
２    装着具本体
３Ａ，３Ｂ  永久磁石
７Ａ，７Ｂ  第２の永久磁石
３１，７１  Ｎ磁極
３２，７２  Ｓ磁極
【図１】
2011078524.tif 000003
【図２】
2011078524.tif 000004
【図３】
2011078524.tif 000005
【図４】
2011078524.tif 000006
【図５】
2011078524.tif 000007
【図６】
2011078524.tif 000008
【図７】
2011078524.tif 000009
【図８】
2011078524.tif 000010
【図９】
2011078524.tif 000011
【図１０】
2011078524.tif 000012
【図１１】
2011078524.tif 000013
【図１２】
2011078524.tif 000014
【図１３】
2011078524.tif 000015